(57)【要約】  本発明は、発射制御方法、装置、システム、プログラム、及び記録媒体に関し、インターネット端末の分野に属するものである。前記方法には、現在のユーザのユーザタイプを取得するステップと、現在のユーザのユーザタイプが放射量の低減を必要とするユーザタイプである場合、デフォルトの発射パワーを低減するように放射端末を制御するステップとを含む。本発明によれば、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。【選択図】図１
2016521496.tif 000002
【特許請求の範囲】
【請求項１】
放射端末に用いられる発射制御方法であって、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと
を含むことを特徴とする発射制御方法。
【請求項２】
前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する
ことを特徴とする請求項１に記載の方法。
【請求項３】
自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する
ことを特徴とする請求項１または２に記載の方法。
【請求項４】
前記放射端末が通信状態となっており、且つ音声通信である場合、オーディオ信号利得の増大、音量の増大、およびノイズの除去のうちの少なくとも１つを含む所定方式により、前記音声通信を最適化するステップをさらに含むことを特徴とする請求項３に記載の方法。
【請求項５】
ウェアラブルデバイスに用いられる発射制御方法であって、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は、前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと
を含むことを特徴とする発射制御方法。
【請求項６】
放射端末に用いられる発射制御装置であって、
現在のユーザのユーザタイプを取得するためのタイプ確定モジュールと、
前記現在のユーザのユーザタイプが放射量の低減を必要とするユーザタイプである場合、デフォルトの発射パワーを低減するように前記放射端末を制御するための放射低減モジュールと
を備えることを特徴とする発射制御装置。
【請求項７】
前記タイプ確定モジュールは、
前記現在のユーザにより設定されたユーザタイプを受信するためのタイプ設定ユニットを備えるか、
または、
前記現在のユーザの生物学的パラメータを収集するためのパラメータ収集ユニットと、前記生物学的パラメータに基づいて前記現在のユーザのユーザタイプを確定するためのタイプ確定ユニットとを備えるか、
または、
ウェアラブルデバイスが前記現在のユーザの生物学的パラメータを収集した後に送信する生物学的パラメータを受信するためのパラメータ受信ユニットと、前記生物学的パラメータに基づいて前記現在のユーザのユーザタイプを確定するためのタイプ確定ユニットとを備えるか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニットと、前記タイプ信号に基づいて前記現在のユーザのユーザタイプを取得するためのタイプ取得ユニットとを備える
ことを特徴とする請求項６に記載の装置。
【請求項８】
前記放射低減モジュールは、
前記放射端末が通信状態となっている場合、基本的な通信品質を満たすことを条件として前記発射パワーを確定するように前記放射端末を制御するための通信低減ユニット、
および／または、
前記放射端末が待機状態となっている場合、放射値を最低とすることを条件として前記発射パワーを確定するように前記放射端末を制御するための待機低減ユニット
を備えることを特徴とする請求項６または７に記載の装置。
【請求項９】
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュールをさらに備えることを特徴とする請求項８に記載の装置。
【請求項１０】
ウェアラブルデバイスに用いられる発射制御装置であって、
現在のユーザの生物学的パラメータを収集するためのパラメータ収集モジュールと、
収集された前記生物学的パラメータに基づいて、前記現在のユーザのユーザタイプを確定するためのタイプ確定モジュールと、
前記ユーザタイプに基づいて前記現在のユーザの放射端末へタイプ信号を送信し、前記放射端末は、前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのタイプ送信モジュールと
を備えることを特徴とする発射制御装置。
【請求項１１】
ウェアラブルデバイスおよび放射端末を備え、前記ウェアラブルデバイスと前記放射端末とは有線ネットワークまたは無線ネットワークを介して接続され、
前記ウェアラブルデバイスは、現在のユーザの生物学的パラメータを収集し、前記現在のユーザの前記放射端末へ前記生物学的パラメータを送信するためのものであり、
前記放射端末は、前記ウェアラブルデバイスにより送信された前記生物学的パラメータを受信し、前記生物学的パラメータに基づいて前記現在のユーザのユーザタイプを確定し、前記現在のユーザのユーザタイプが放射量の低減を必要とするユーザタイプである場合、デフォルトの発射パワーを低減するためのものである
ことを特徴とする発射制御システム。
【請求項１２】
ウェアラブルデバイスおよび放射端末を備え、前記ウェアラブルデバイスと前記放射端末とが有線ネットワークまたは無線ネットワークを介して接続され、
前記ウェアラブルデバイスは、現在のユーザの生物学的パラメータを収集し、前記生物学的パラメータに基づいて前記現在のユーザのユーザタイプを確定し、前記ユーザタイプに基づいて前記現在のユーザの放射端末へタイプ信号を送信するためのものであり、
前記放射端末は、前記ウェアラブルデバイスにより送信された前記タイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである
ことを特徴とする発射制御システム。
【発明の詳細な説明】
【相互参照】
【０００１】
本願は、出願番号が２０１４１０１０６２７２．Ｘであって、出願日が２０１４年０３月２０日である中国特許出願に基づき優先権を主張し、当該中国特許出願のすべての内容を本願に援用する。
【技術分野】
【０００２】
本発明は、インターネット端末の分野に関し、特に発射制御方法、装置およびシステムに関する。
【背景技術】
【０００３】
スマートフォン、タブレットＰＣ、および電子書籍リーダーのような端末は、通常、電磁波を用いて情報の無線伝送を実現するが、これらの電磁波は、例えば、携帯電話の放射のように放射とも呼ばれる。
【０００４】
より良い通信品質を確保するために、携帯電話は、通常、信号最適化方式で電磁波を発射する。すなわち、携帯電話は、最も強い信号を確保するために、大きい発射パワーをできるだけ維持し、その結果、携帯電話の放射も、最大値になる。携帯電話の放射が人体に有害であるか否かについて、議論が絶えず起こっているが、例えば、高齢者、子供、病人、および妊婦のような多くの特定の人々は、保守的な健康対策の観点から、携帯電話の使用を減少したり、中止したりしている。
【０００５】
本発明人は、本発明を実現する過程において、関連技術に少なくとも次の問題があることを見出した。
【０００６】
上記の端末は信号最適化方式をデフォルトで用いるので、通常比較的大きい発射パワーを維持することにより、より大きい放射を発生し、多くの特定の人々の日常使用に不利である。
【発明の概要】
【０００７】
従来の関連技術の問題点を克服するために、本発明は、発射制御方法、装置およびシステムを提供する。前記技術案は、次の通りである。
【０００８】
本発明に係る実施例の第１の方面によれば、放射端末に用いられる発射制御方法であって、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと、を含む発射制御方法を提供する。
【０００９】
選択的に、前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する。
【００１０】
選択的に、自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する。
【００１１】
選択的に、前記方法は、
前記放射端末が通信状態となっており、且つ音声通信である場合、オーディオ信号利得の増大、音量の増大、およびノイズの除去のうちの少なくとも１つを含む所定方式により、前記音声通信を最適化するステップとをさらに含む。
【００１２】
本発明に係る実施例の第２の方面によれば、ウェアラブルデバイスに用いられる発射制御方法であって、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと、を含む、発射制御方法を提供する。
【００１３】
本発明に係る実施例の第３の方面によれば、放射端末に用いられる発射制御装置であって、
現在のユーザのユーザタイプを取得するためのタイプ確定モジュールと、
前記現在のユーザのユーザタイプが放射量の低減を必要とするユーザタイプである場合、デフォルトの発射パワーを低減するように前記放射端末を制御するための放射低減モジュールと、を備える発射制御装置を提供する。
【００１４】
選択的に、前記タイプ確定モジュールは、
前記現在のユーザにより設定されたユーザタイプを受信するためのタイプ設定ユニットを備えるか、
または、
前記現在のユーザの生物学的パラメータを収集するためのパラメータ収集ユニットと、前記生物学的パラメータに基づいて前記現在のユーザのユーザタイプを確定するためのタイプ確定するユニットとを備えるか、
または、
ウェアラブルデバイスが前記現在のユーザの生物学的パラメータを収集した後に送信する生物学的パラメータを受信するためのパラメータ受信ユニットと、前記生物学的パラメータに基づいて前記現在のユーザのユーザタイプを確定するためのタイプ確定ユニットとを備えるか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニットと、
前記タイプ信号に基づいて前記現在のユーザのユーザタイプを取得するためのタイプ取得ユニットと、を備える。
【００１５】
選択的に、前記放射低減モジュールは、
前記放射端末が通信状態となっている場合、基本的な通信品質を満たすことを条件として前記発射パワーを確定するように前記放射端末を制御するための通信低減ユニット、および／または、
前記放射端末が待機状態となっている場合、放射値を最低とすることを条件として前記発射パワーを確定するように前記放射端末を制御するための前記待機低減ユニットを備える。
【００１６】
選択的に、前記装置は、
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュールをさらに備える。
【００１７】
本発明に係る実施例の第４の方面によれば、ウェアラブルデバイスに用いられる発射制御装置であって、
現在のユーザの生物学的パラメータを収集するためのパラメータ収集モジュールと、
収集された前記生物学的パラメータに基づいて、前記現在のユーザのユーザタイプを確定するためのタイプ確定モジュールと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのタイプ送信モジュールと、を備える。
【００１８】
本発明の実施例の第５の方面によれば、ウェアラブルデバイスおよび放射端末を備え、前記ウェアラブルデバイスと前記放射端末とは有線ネットワークまたは無線ネットワークを介して接続され、
前記ウェアラブルバイスは、現在のユーザの生物学的パラメータを収集し、前記現在のユーザの前記放射端末へ前記生物学的パラメータを送信するためのものであり、
前記放射端末は、前記ウェアラブルデバイスにより送信された前記生物学的パラメータを受信し、前記生物学的パラメータに基づいて前記現在のユーザのユーザタイプ確定し、前記現在のユーザのユーザタイプが放射量の低減を必要とするユーザタイプである場合、デフォルトの発射パワーを低減するためのものである発射制御システムを提供する。
【００１９】
本発明の実施例の第６の方面によれば、ウェアラブルデバイスおよび放射端末を備え、前記ウェアラブルデバイスと前記放射端末とは有線ネットワークまたは無線ネットワークを介して接続され、
前記ウェアラブルデバイスは、現在のユーザの生物学的パラメータを収集し、前記生物学的パラメータに基づいて前記現在のユーザのユーザタイプを確定し、前記ユーザタイプに基づいて前記現在のユーザの放射端末へタイプ信号を送信するためのものであり、
前記放射端末は、前記ウェアラブルデバイスにより送信された前記タイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである発射制御システムを提供する。
【００２０】
本発明に係る実施例により提供された技術案は、次の有益な効果を果たすことができる。
【００２１】
現在のユーザのユーザタイプを取得し、現在のユーザのユーザタイプが放射量の低減を必要とするユーザタイプである場合、前記放射端末がデフォルトの発射パワーを低減することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという效果に達した。
【００２２】
上記の一般的な説明および後述の詳細な説明は、単に例示的及び解釈的なものだけであり、本発明を限定するものではない、と理解すべきである。
【図面の簡単な説明】
【００２３】
ここでの図面は、本明細書に組み込まれて明細書の一部として構成され、本発明に該当する実施例を示し、且つ明細書と共に本発明の原理を説明するために用いられる。
【００２４】
図１は、例示的な実施例に係る発射制御方法を示すフローチャートである。
【００２５】
図２は、例示的な実施例に係る別の発射制御方法を示すフローチャートである。
【００２６】
図３は、例示的な実施例に係るさらに別の発射制御方法を示すフローチャートである。
【００２７】
図４は、例示的な実施例に係るさらに別の発射制御方法を示すフローチャートである。
【００２８】
図５は、例示的な実施例に係るさらに別の発射制御方法を示すフローチャートである。
【００２９】
図６は、例示的な実施例に係る発射制御装置を示す模式図である。
【００３０】
図７Ａは、例示的な実施例に係る別の発射制御装置を示す模式図である。
【００３１】
図７Ｂ〜図７Ｅは、図７Ａに示すタイプ確定モジュールの４つの異なる実現方式を示す模式図である。
【００３２】
図８は、例示的な実施例に係る発射制御装置を示す模式図である。
【００３３】
図９は、例示的な実施例に係る放射端末の構成を示すブロック図である。
【発明を実施するための形態】
【００３４】
以下、例示的な実施例について詳細に説明し、それらの例は添付の図面に示されている。以下の説明が添付図面に関する場合、特別に説明しない限り、異なる図面における同じ数字が同一または相当の要素を表す。以下の例示的な実施例に記載される実施形態は、本発明と一致するすべての実施形態を代表するものではない。逆に、それらは、添付の特許請求の範囲に詳述したような本発明のいくつかの方面と一致する装置および方法の例だけである。
【００３５】
本明細書に記載の「放射端末」は、携帯電話、タブレットＰＣ、ルータ、電子書籍リーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップコンピュータやデスクトップコンピュータなどが含まれる。
【００３６】
図１は、例示的な実施例に係る発射制御方法を示すフローチャートである。図１に示すように、前記発射制御方法は端末に用いられ、次のステップを含む。
【００３７】
ステップＳ１０１において、現在のユーザのユーザタイプを取得する。
【００３８】
ユーザタイプは、普通人、高齢者、子供、および妊婦に分類されてもよく、高齢者、子供、および妊婦は、放射量の低減を必要とするユーザタイプである。また、ユーザタイプは、健康人、半健康人、および病人に分類されてもよく、半健康人および病人は、放射量の低減を必要とするユーザタイプである。
【００３９】
ユーザタイプは、ユーザの設定により取得されてもよい。または、ユーザタイプは、ユーザの生物学的パラメータに基づいて取得されてもよい。
【００４０】
ステップＳ１０２において、現在のユーザのユーザタイプが放射量の低減を必要とするユーザタイプである場合、デフォルトの発射パワーを低減するように放射端末を制御する。
【００４１】
デフォルトの発射ポリシーは、信号優先ポリシーである場合、デフォルトの発射パワーは、通常、放射が最大となる発射パワーである。
【００４２】
上記を纏めて言えば、本実施例に係る発射制御方法では、現在のユーザのユーザタイプを取得し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００４３】
図２は、例示的な実施例に係る別の発射制御方法を示すフローチャートである。図２に示すように、前記発射制御方法はウェアラブルデバイスに用いられ、次のステップを含む。
【００４４】
ステップＳ２０１において、現在のユーザの生物学的パラメータを収集する。
【００４５】
生物学的パラメータは、ユーザの心拍、脈拍、睡眠記録、気分記録、運動記録、体温とカロリー摂取量記録のうちの少なくとも１つを含む。
【００４６】
ステップＳ２０２において、収集された生物学的パラメータに基づいて、現在のユーザのユーザタイプを確定する。
【００４７】
ステップＳ２０３において、ユーザタイプに基づいて現在のユーザの放射端末へタイプ信号を送信し、放射端末はウェアラブルデバイスにより送信されたタイプ信号を受信し、タイプ信号に基づいて現在のユーザのユーザタイプを取得し、現在のユーザのユーザタイプが放射量の低減を必要とするユーザタイプである場合、デフォルトの発射パワーを低減する。
【００４８】
上記を纏めて言えば、本実施例に係る発射制御方法では、現在のユーザのユーザタイプを取得し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００４９】
放射端末がユーザタイプを取得する方式は、多くの種類がある。例えば、放射端末は、現在のユーザが音声形式、物理キーボード、仮想キーボード、タッチ信号、またはシェイクジェスチャーなどの入力方式により設定されたユーザタイプを取得する。また、例えば、放射端末が、ユーザによって日常に接触形態で使用される携帯電話やタブレットＰＣのような端末であれば、放射端末が現在のユーザの生物学的パラメータに基づいてユーザタイプを取得する。さらに、例えば、放射端末がユーザによって日常に非接触形態で使用される携帯電話やタブレットＰＣのような端末であれば、放射端末がウェアラブルデバイスにより現在のユーザの生物学的パラメータに基づいてユーザタイプを取得する。以下、それぞれ異なる実施例を用い、生物学的パラメータに基づいてユーザタイプを取得する２種類の場合について説明する。
【００５０】
図３は、例示的な実施例に係るさらに別の発射制御方法を示すフローチャートである。図３に示すように、当該発射制御方法は、放射端末に用いられ、且つ、放射端末により現在のユーザの生物学的パラメータに基づいてユーザタイプを取得する。当該方法は、次のステップを含む。
【００５１】
ステップＳ３０１において、現在のユーザの生物学的パラメータを収集する。
【００５２】
生物学的パラメータは、ユーザの心拍、脈拍、睡眠記録、気分記録、運動記録、体温とカロリー摂取量記録のうちの少なくとも１つを含む。
【００５３】
放射端末は、ユーザの入力によりユーザの気分記録およびカロリー摂取量記録を取得する。放射端末は、３軸加速度計によりユーザの睡眠記録、気分記録、および運動記録を監視・解析する。放射端末は、電極および心電原理によりユーザの心拍、および脈拍を取得する。放射端末は、体温センサによりユーザの体温を取得する。
【００５４】
ステップＳ３０２において、生物学的パラメータに基づいて現在のユーザのユーザタイプを確定する。
【００５５】
放射端末が現在のユーザの生物学的パラメータを取得した後、１つの生物学的パラメータの値、またはいくつかが組み合わせられた生物学的パラメータの値に基づいて、現在のユーザのユーザタイプを、予め設定された対応関係から検索することができる。当該予め設定される対応関係には、生物学的パラメータの異なる値と、異なるユーザタイプとの間の対応関係を含む。
【００５６】
即ち、現在のユーザの生物学的パラメータを収集した後、放射端末は、生物学的パラメータの値に基づいて、それとマッチングするユーザタイプを、予め設定された対応関係から検索することができる。
【００５７】
ステップＳ３０３において、現在のユーザのユーザタイプが放射量の低減を必要とするユーザタイプである場合、デフォルトの発射パワーを低減するように放射端末を制御する。
【００５８】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【００５９】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【００６０】
放射端末が待機状態となっている場合、放射値を最低とすることを条件として発射パワーを確定するように放射端末を制御する。例えば、携帯電話が待機状態となっている場合、放射値を最低とすることを条件として発射パワーを確定するように携帯電話を制御する。
【００６１】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【００６２】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００６３】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【００６４】
また、放射端末が待機状態となる場合、放射値を最低とすることを条件として発射パワーを確定することにより、放射端末の待機状態での放射を最小に保持する。
【００６５】
また、通信状態が音声通信である場合、音声通信に対して信号強度の最適化以外の何らかの最適化を行うことにより、基本的な通信品質をより良く確保することができる。
【００６６】
図４は、例示的な実施例に係るさらに別の発射制御方法を示すフローチャートである。図４に示すように、当該発射制御方法は、放射端末、およびウェアラブルデバイスに用いられ、且つ、ウェアラブルデバイスにより生物学的パラメータを収集し、放射端末により現在のユーザの生物学的パラメータに基づいてユーザタイプを確定する。当該方法は、次のステップを含む。
【００６７】
ステップＳ４０１において、ウェアラブルデバイスにより現在のユーザの生物学的パラメータを収集する。
【００６８】
生物学的パラメータは、ユーザの心拍、脈拍、睡眠記録、気分記録、運動記録、体温とカロリー摂取量記録のうちの少なくとも１つを含む。
【００６９】
ウェアラブルデバイスは、スマートブレスレット、またはスマートウォッチなどであってもよい。ウェアラブルデバイスは、ユーザの入力によりユーザの気分記録、およびカロリー摂取量記録を取得する。ウェアラブルデバイスは、３軸加速度計によりユーザの睡眠記録、気分記録、および運動記録を監視・解析する。ウェアラブルデバイスは、電極および心電原理によりユーザの心拍、および脈拍を取得する。ウェアラブルデバイスは、体温センサによりユーザの体温を取得する。
【００７０】
ステップＳ４０２において、ウェアラブルデバイスは、現在のユーザの放射端末へ生物学的パラメータを送信する。
【００７１】
同じユーザのウェアラブルデバイス、および放射端末は、通常、有線ネットワーク、または無線ネットワークを介して接続され、例えば、ユーザＡのスマートブレスレットやスマートフォンは、ブルートゥース技術、またはＷＩＦＩネットワークを介して無線で接続される。
【００７２】
ウェアラブルデバイスは、現在のユーザの生物学的パラメータを収集した後、現在のユーザの放射端末へ生物学的パラメータを送信する。
【００７３】
これに対応して、端末装置は、ウェアラブルデバイスにより送信された生物学的パラメータを受信する。
【００７４】
ステップＳ４０３において、放射端末が生物学的パラメータに基づいて現在のユーザのユーザタイプを確定する。
【００７５】
放射端末が現在のユーザの生物学的パラメータを受信した後、１つの生物学的パラメータの値、またはいくつかが組み合わせられた生物学的パラメータの値に基づいて、現在のユーザのユーザタイプを、予め設定される対応関係中から検索することができる。当該予め設定される対応関係には、生物学的パラメータの異なる値と、異なるユーザタイプとの間の対応関係を含む。
【００７６】
即ち、現在のユーザの生物学的パラメータを受信した後、放射端末は、生物学的パラメータの値に基づいて、それとマッチングするユーザタイプを、予め設定される対応関係中から検索することができる。
【００７７】
ステップＳ４０４において、現在のユーザのユーザタイプが放射量の低減を必要とするユーザタイプである場合、デフォルトの発射パワーを低減するように放射端末を制御する。
【００７８】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【００７９】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【００８０】
放射端末が待機状態となっている場合、放射値を最低とすることを条件として発射パワーを確定するように放射端末を制御する。例えば、携帯電話が待機状態となっている場合、放射値を最低とすることを条件として発射パワーを確定するように携帯電話を制御する。
【００８１】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【００８２】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００８３】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【００８４】
また、放射端末が待機状態となる場合、放射値を最低とすることを条件として発射パワーを確定することにより、放射端末の待機状態での放射を最小に保持する。
【００８５】
また、通信状態が音声通信である場合、音声通信に対して信号強度の最適化以外の何らかの最適化を行うことにより、基本的な通信品質をより良く確保することができるようになる。
【００８６】
また、ウェアラブルデバイスによりユーザの生物学的パラメータを収集することにより、ウェアラブルデバイスの固有の特性を利用し、放射端末に必要なハードウェア条件および計算量を減少し、放射端末のリソースを節約し、放射端末のバッテリ持続時間を増加させる。
【００８７】
図５は、例示的な実施例に係るさらに別の発射制御方法を示すフローチャートである。図５に示すように、当該発射制御方法は、放射端末、およびウェアラブルデバイスに用いられ、ウェアラブルデバイスにより生物学的パラメータを収集し、且つ、現在のユーザの生物学的パラメータに基づいてユーザタイプを確定する。当該方法は、次のステップを含む。
【００８８】
ステップＳ５０１において、ウェアラブルデバイスは、現在のユーザの生物学的パラメータを収集する。
【００８９】
生物学的パラメータは、ユーザの心拍、脈拍、睡眠記録、気分記録、運動記録、体温とカロリー摂取量記録のうちの少なくとも１つを含む。
【００９０】
ウェアラブルデバイスは、スマートブレスレット、またはスマートウォッチなどであってもよい。ウェアラブルデバイスは、ユーザの入力によりユーザの気分記録、およびカロリー摂取量記録を取得する。ウェアラブルデバイスは、３軸加速度計によりユーザの睡眠記録、気分記録、および運動記録を監視・解析する。ウェアラブルデバイスは、電極および心電原理によりユーザの心拍、および脈拍を取得する。ウェアラブルデバイスは、体温センサによりユーザの体温を取得する。
【００９１】
ステップＳ５０２において、ウェアラブルデバイスは、生物学的パラメータに基づいて現在のユーザのユーザタイプを確定する。
【００９２】
ウェアラブルデバイスが現在のユーザの生物学的パラメータを収集した後、１つの生物学的パラメータの値、またはいくつかが組み合わせられた生物学的パラメータの値に基づいて、現在のユーザのユーザタイプを、予め設定される対応関係中から検索することができる。当該予め設定される対応関係には、生物学的パラメータの異なる値と、異なるユーザタイプとの間の対応関係を含む。
【００９３】
即ち、現在のユーザの生物学的パラメータを収集した後、ウェアラブルデバイスは、生物学的パラメータの値に基づいて、それとマッチングするユーザタイプを、予め設定される対応関係中から検索することができる。
【００９４】
ステップＳ５０３において、ウェアラブルデバイスは、ユーザタイプに基づいて現在のユーザの放射端末へタイプ信号を送信する。
【００９５】
各ユーザタイプは、それぞれ、１種のタイプ信号に対応することができる。ウェアラブルデバイスは、ユーザタイプに基づいて現在のユーザのタイプ信号を生成する。同じユーザのウェアラブルデバイス、および放射端末は、通常、有線ネットワーク、または無線ネットワークを介して接続される。このために、ウェアラブルデバイスは、構築された接続方式を介してタイプ信号を現在のユーザに送信することができる。
【００９６】
これに対応して、端末装置は、ウェアラブルデバイスにより送信されたタイプ信号を受信する。
【００９７】
なお、ウェアラブルデバイスは、現在のユーザのユーザタイプが放射量の低減を必要とするユーザタイプである場合にのみ、タイプ信号を放射端末へ送信してもよいが、本実施例は、これに限定されるものではない、ということは、説明すべきである。
【００９８】
ステップＳ５０４において、放射端末がタイプ信号に基づいて現在のユーザのユーザタイプを取得する。
【００９９】
各ユーザタイプがそれぞれ１種のタイプ信号に対応することができるため、放射端末がタイプ信号に基づいて現在のユーザのユーザタイプを取得することができる。
【０１００】
ステップＳ５０５において、現在のユーザのユーザタイプが放射量の低減を必要とするユーザタイプである場合、放射端末がデフォルトの発射パワーを低減する。
【０１０１】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【０１０２】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【０１０３】
放射端末が待機状態となっている場合、放射値を最低とする条件として発射パワーを確定するように放射端末を制御する。例えば、携帯電話が待機状態となっている場合、放射値を最低とすることを条件として発射パワーを確定するように携帯電話を制御する。
【０１０４】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【０１０５】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減する放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１０６】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【０１０７】
また、放射端末が待機状態となっている場合、放射値を最低とすることを条件として発射パワーを確定することにより、放射端末の待機状態での放射を最小に保持する。
【０１０８】
また、通信状態が音声通信である場合、音声通信に対して信号強度の最適化以外の何らかの最適化を行うことにより、基本的な通信品質をより良く確保することができる。
【０１０９】
また、ウェアラブルデバイスによりユーザの生物学的パラメータを収集すると共にユーザタイプを確定することにより、ウェアラブルデバイスの固有の特性を利用し、放射端末に必要なハードウェア条件および計算量を減少し、放射端末のリソースを節約し、放射端末のバッテリ持続時間を増加させる。
【０１１０】
図６は、例示的な実施例に係る発射制御装置を示す模式図である。図６に示すように、当該装置は、タイプ確定モジュール６２０、および放射低減モジュール６４０を備える。
【０１１１】
タイプ確定モジュール６２０は、現在のユーザのユーザタイプを取得するためのものである。
【０１１２】
放射低減モジュール６４０は、現在のユーザのユーザタイプが放射量の低減を必要とするユーザタイプである場合、デフォルトの発射パワーを低減するように放射端末を制御するためのものである。
【０１１３】
上記を纏めて言えば、本実施例に係る発射制御装置では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１１４】
図７Ａは、例示的な実施例に係る別の発射制御装置を示す模式図である。図７Ａに示すように、当該装置は、ソフトウェア、ハードウェア、または両者の組み合わせにより実現され、放射端末の全部または一部となる。当該装置は、タイプ確定モジュール６２０、および放射低減モジュール６４０を備える。
【０１１５】
タイプ確定モジュール６２０は、現在のユーザのユーザタイプを取得するためのものである。
【０１１６】
放射低減モジュール６４０は、現在のユーザのユーザタイプが放射量の低減を必要とするユーザタイプである場合、デフォルトの発射パワーを低減するように放射端末を制御するためのものである。
【０１１７】
タイプ確定モジュール６２０は、
図７Ｂに示すように、前記現在のユーザにより設定されたユーザタイプを受信するためのタイプ設定ユニット６２１を備えるか、
または、
図７Ｃに示すように、前記現在のユーザの生物学的パラメータを収集するためのパラメータ収集ユニット６２２と、前記生物学的パラメータに基づいて前記現在のユーザのユーザタイプを確定するためのタイプ確定ユニット６２３と、を備えるか
または、
図７Ｄに示すように、ウェアラブルデバイスが前記現在のユーザの生物学的パラメータを収集した後に送信する生物学的パラメータを受信するためのパラメータ受信ユニット６２４と、前記生物学的パラメータに基づいて前記現在のユーザのユーザタイプを確定するためのタイプ確定ユニット６２３と、を備えるか、
または、
図７Ｅに示すように、前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニット６２５と、前記タイプ信号に基づいて前記現在のユーザのユーザタイプを取得するためのタイプ取得ユニット６２６と、を備える。
【０１１８】
放射低減モジュール６４０は、通信低減ユニット６４２、および／または、待機低減ユニット６４４を備える。
【０１１９】
前記通信低減ユニット６４２は、前記放射端末が通信状態となっている場合、基本的な通信品質を満たすことを条件として前記発射パワーを確定するように前記放射端末を制御するためのものである。
【０１２０】
前記待機低減ユニット６４４は、前記放射端末が待機状態となっている場合、放射値を最低とすることを条件として前記発射パワーを確定するように前記放射端末を制御するためのものである。
【０１２１】
選択的に、前記装置は、さらに、
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュール６６０を備える。
【０１２２】
上記を纏めて言えば、本実施例に係る発射制御装置では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１２３】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【０１２４】
また、放射端末が待機状態となる場合、放射値を最低とすることを条件として発射パワーを確定することにより、放射端末の待機状態での放射を最小に保持する。
【０１２５】
また、通信状態が音声通信である場合、音声通信に対して信号強度の最適化以外の何らかの最適化を行うことにより、基本的な通信品質をより良く確保することができる。
【０１２６】
また、ウェアラブルデバイスによりユーザの生物学的パラメータを収集すると共にユーザタイプを確定することにより、ウェアラブルデバイスの固有の特性を利用し、放射端末に必要なハードウェア条件および計算量を減少し、放射端末のリソースを節約し、放射端末のバッテリ持続時間を増加させる。
【０１２７】
図８は、例示的な実施例に係る別の発射制御装置を示す模式図である。図８に示すように、当該装置は、ソフトウェア、ハードウェア、または両者の組み合わせにより実現され、ウェアラブルデバイスの全部または一部になる。当該装置は、パラメータ収集モジュール８２０、タイプ確定モジュール８４０、およびタイプ送信モジュール８６０を備える。
【０１２８】
パラメータ収集モジュール８２０は、現在のユーザの生物学的パラメータを収集するためのものである。
【０１２９】
タイプ確定モジュール８４０は、収集された前記生物学的パラメータに基づいて、前記現在のユーザのユーザタイプを確定するためのものである。
【０１３０】
タイプ送信モジュール８６０は、前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである。
【０１３１】
上記の実施例に係る装置において、各モジュールが操作を実行する具体的な形態は、すでに当該方法に関する実施例において詳細に記載されているので、ここでは詳細に説明しない。
【０１３２】
図９は、例示的な実施例に係る放射端末９００を示すブロック図である。例えば、端末９００は、携帯電話、コンピュータ、デジタル放送端末、メッセージ送受信機器、ゲームコンソール、タブレットデバイス、医療機器、フィットネス機器、パーソナルデジタルアシスタント、およびルータなどであってもよい。
【０１３３】
図９に示すように、放射端末９００は、プロセスアセンブリ９０２、メモリ９０４、電源アセンブリ９０６、マルチメディアアセンブリ９０８、オーディオアセンブリ９１０、入力／出力（Ｉ／Ｏ）インターフェース９１２、センサアセンブリ９１４、および通信アセンブリ９１６のような１つ以上のアセンブリを含んでよい。
【０１３４】
プロセスアセンブリ９０２は、一般的には放射端末９００全体の操作を制御するものであり、例えば、表示、電話呼び出し、データ通信、カメラ操作、及び記録操作と関連する操作を制御する。プロセスアセンブリ９０２は、１つ以上のプロセッサ９２０を含み、これらによって指令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１３５】
メモリ９０４は、各種類のデータを記憶することにより放射端末９００の操作を支援するように構成される。これらのデータの例は、放射端末９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１３６】
電源アセンブリ９０６は、放射端末９００の多様なアセンブリに電力を供給する。電源アセンブリ９０６は、電源管理システム、一つ以上の電源、及び放射端末９００のための電力の生成、管理及び割り当てに関連する他のアセンブリを含んでもよい。
【０１３７】
マルチメディアアセンブリ９０８は、前記放射端末９００とユーザの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。放射端末９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３８】
オーディオアセンブリ９１０は、オーディオ信号を入出力するように構成されてもよい。例えば、オーディオアセンブリ９１０は、一つのマイク（ＭＩＣ）を含み、放射端末９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１３９】
Ｉ／Ｏインターフェース９１２は、プロセスアセンブリ９０２と周辺インターフェースモジュールの間にインターフェースを提供するものであり、上記周辺インターフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４０】
センサアセンブリ９１４は、放射端末９００に各方面の状態に対する評価を提供するための一つ以上のセンサを含む。例えば、センサアセンブリ９１４は、放射端末９００のＯＮ／ＯＦＦ状態、放射端末９００のディスプレイとキーパッドのようなアセンブリの相対的な位置決めを検出できる。また、例えば、センサアセンブリ９１４は、放射端末９００、或は放射端末９００の一つのアセンブリの位置変更、ユーザと放射端末９００とが接触しているか否か、放射端末９００の方位、又は加速／減速、放射端末９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１４１】
通信アセンブリ９１６は、放射端末９００と他の機器の間に有線、又は無線形態の通信を提供する。放射端末９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１４２】
例示的な実施例において、放射端末９００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１４３】
例示的な実施例では、さらに、指令を含むコンピュータ読み取り可能な非一時的な記憶媒体、例えば、指令を含むメモリ９０４を提供しており、放射端末９００のプロセッサ９２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１４４】
コンピュータ読み取り可能な非一時的な記憶媒体は、放射端末のプロセッサにより前記記憶媒体中の指令が実行される場合、放射端末に次の発射制御方法を実行させることができる。当該方法は、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと、を含む。
【０１４５】
選択的に、前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する。
【０１４６】
選択的に、自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する。
【０１４７】
選択的に、前記方法は、さらに、
前記放射端末が通信状態となっており、且つ音声通信である場合、オーディオ信号利得の増大、音量の増大、およびノイズの除去のうちの少なくとも１つを含む所定方式により、前記音声通信を最適化するステップと、を含む。
【０１４８】
また、図９における各アセンブリに対して新たな組み合わせまたは削除を行い、ウェアラブルデバイスを実現することができ、ウェアラブルデバイスは、スマートフォン、スマートウォッチ、スマートメガネなどであってもよい。
【０１４９】
コンピュータ読み取り可能な非一時的な記憶媒体は、ウェアラブルデバイスのプロセッサにより前記記憶媒体中の指令が実行される場合、ウェアラブルデバイスに発射の制御方法を実行させることができる。当該方法は、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと、を含む。
【０１５０】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１５１】
本発明は、上記の記述、及び図示された具体的な構成に限定されず、その範囲を逸脱しない状況で、いろんな修正と変更が可能である、ことを理解すべきである。本発明の範囲は、ただ添付の特許請求の範囲により限定される。
【図１】
2016521496.tif 000003
【図２】
2016521496.tif 000004
【図３】
2016521496.tif 000005
【図４】
2016521496.tif 000006
【図５】
2016521496.tif 000007
【図６】
2016521496.tif 000008
【図７Ａ】
2016521496.tif 000009
【図７Ｂ】
2016521496.tif 000010
【図７Ｃ】
2016521496.tif 000011
【図７Ｄ】
2016521496.tif 000012
【図７Ｅ】
2016521496.tif 000013
【図８】
2016521496.tif 000014
【図９】
2016521496.tif 000015
【手続補正書】
【提出日】平成26年9月16日(2014.9.16)
【手続補正１】
【補正対象書類名】明細書
【補正対象項目名】全文
【補正方法】変更
【補正の内容】
【発明の詳細な説明】
【相互参照】
【０００１】
本願は、出願番号が２０１４１０１０６２７２．Ｘであって、出願日が２０１４年０３月２０日である中国特許出願に基づき優先権を主張し、当該中国特許出願のすべての内容を本願に援用する。
【技術分野】
【０００２】
本発明は、インターネット端末の分野に関し、特に発射制御方法、装置、システム、プログラム、及び記録媒体に関する。
【背景技術】
【０００３】
スマートフォン、タブレットＰＣ、および電子書籍リーダーのような端末は、通常、電磁波を用いて情報の無線伝送を実現するが、これらの電磁波は、例えば、携帯電話の放射のように放射とも呼ばれる。
【０００４】
より良い通信品質を確保するために、携帯電話は、通常、信号最適化方式で電磁波を発射する。すなわち、携帯電話は、最も強い信号を確保するために、大きい発射パワーをできるだけ維持し、その結果、携帯電話の放射も、最大値になる。携帯電話の放射が人体に有害であるか否かについて、議論が絶えず起こっているが、例えば、高齢者、子供、病人、および妊婦のような多くの特定の人々は、保守的な健康対策の観点から、携帯電話の使用を減少したり、中止したりしている。
【０００５】
本発明人は、本発明を実現する過程において、関連技術に少なくとも次の問題があることを見出した。
【０００６】
上記の端末は信号最適化方式をデフォルトで用いるので、通常比較的大きい発射パワーを維持することにより、より大きい放射を発生し、多くの特定の人々の日常使用に不利である。
【発明の概要】
【０００７】
従来の関連技術の問題点を克服するために、本発明は、発射制御方法、装置、システム、プログラム、及び記録媒体を提供する。前記技術案は、次の通りである。
【０００８】
本発明に係る実施例の第１の方面によれば、放射端末に用いられる発射制御方法であって、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと、を含む発射制御方法を提供する。
【０００９】
選択的に、前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する。
【００１０】
選択的に、自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する。
【００１１】
選択的に、前記方法は、
前記放射端末が通信状態となっており、且つ音声通信である場合、オーディオ信号利得の増大、音量の増大、およびノイズの除去のうちの少なくとも１つを含む所定方式により、前記音声通信を最適化するステップとをさらに含む。
【００１２】
本発明に係る実施例の第２の方面によれば、ウェアラブルデバイスに用いられる発射制御方法であって、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと、を含む、発射制御方法を提供する。
【００１３】
本発明に係る実施例の第３の方面によれば、放射端末に用いられる発射制御装置であって、
現在のユーザのユーザタイプを取得するためのタイプ確定モジュールと、
前記現在のユーザのユーザタイプが放射量の低減を必要とするユーザタイプである場合、デフォルトの発射パワーを低減するように前記放射端末を制御するための放射低減モジュールと、を備える発射制御装置を提供する。
【００１４】
選択的に、前記タイプ確定モジュールは、
前記現在のユーザにより設定されたユーザタイプを受信するためのタイプ設定ユニットを備えるか、
または、
前記現在のユーザの生物学的パラメータを収集するためのパラメータ収集ユニットと、前記生物学的パラメータに基づいて前記現在のユーザのユーザタイプを確定するためのタイプ確定するユニットとを備えるか、
または、
ウェアラブルデバイスが前記現在のユーザの生物学的パラメータを収集した後に送信する生物学的パラメータを受信するためのパラメータ受信ユニットと、前記生物学的パラメータに基づいて前記現在のユーザのユーザタイプを確定するためのタイプ確定ユニットとを備えるか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニットと、
前記タイプ信号に基づいて前記現在のユーザのユーザタイプを取得するためのタイプ取得ユニットと、を備える。
【００１５】
選択的に、前記放射低減モジュールは、
前記放射端末が通信状態となっている場合、基本的な通信品質を満たすことを条件として前記発射パワーを確定するように前記放射端末を制御するための通信低減ユニット、および／または、
前記放射端末が待機状態となっている場合、放射値を最低とすることを条件として前記発射パワーを確定するように前記放射端末を制御するための前記待機低減ユニットを備える。
【００１６】
選択的に、前記装置は、
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュールをさらに備える。
【００１７】
本発明に係る実施例の第４の方面によれば、ウェアラブルデバイスに用いられる発射制御装置であって、
現在のユーザの生物学的パラメータを収集するためのパラメータ収集モジュールと、
収集された前記生物学的パラメータに基づいて、前記現在のユーザのユーザタイプを確定するためのタイプ確定モジュールと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのタイプ送信モジュールと、を備える。
【００１８】
本発明の実施例の第５の方面によれば、ウェアラブルデバイスおよび放射端末を備え、前記ウェアラブルデバイスと前記放射端末とは有線ネットワークまたは無線ネットワークを介して接続され、
前記ウェアラブルバイスは、現在のユーザの生物学的パラメータを収集し、前記現在のユーザの前記放射端末へ前記生物学的パラメータを送信するためのものであり、
前記放射端末は、前記ウェアラブルデバイスにより送信された前記生物学的パラメータを受信し、前記生物学的パラメータに基づいて前記現在のユーザのユーザタイプ確定し、前記現在のユーザのユーザタイプが放射量の低減を必要とするユーザタイプである場合、デフォルトの発射パワーを低減するためのものである発射制御システムを提供する。
【００１９】
本発明の実施例の第６の方面によれば、ウェアラブルデバイスおよび放射端末を備え、前記ウェアラブルデバイスと前記放射端末とは有線ネットワークまたは無線ネットワークを介して接続され、
前記ウェアラブルデバイスは、現在のユーザの生物学的パラメータを収集し、前記生物学的パラメータに基づいて前記現在のユーザのユーザタイプを確定し、前記ユーザタイプに基づいて前記現在のユーザの放射端末へタイプ信号を送信するためのものであり、
前記放射端末は、前記ウェアラブルデバイスにより送信された前記タイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである発射制御システムを提供する。
【００２０】
本発明の実施例の第７の方面によれば、プロセッサに実行されることにより、前記の発射制御方法を実現するプログラムを提供する。
【００２１】
本発明の実施例の第８の方面によれば、前記のプログラムが記録された記録媒体を提供する。
【００２２】
本発明に係る実施例により提供された技術案は、次の有益な効果を果たすことができる。
【００２３】
現在のユーザのユーザタイプを取得し、現在のユーザのユーザタイプが放射量の低減を必要とするユーザタイプである場合、前記放射端末がデフォルトの発射パワーを低減することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという效果に達した。
【００２４】
上記の一般的な説明および後述の詳細な説明は、単に例示的及び解釈的なものだけであり、本発明を限定するものではない、と理解すべきである。
【図面の簡単な説明】
【００２５】
ここでの図面は、本明細書に組み込まれて明細書の一部として構成され、本発明に該当する実施例を示し、且つ明細書と共に本発明の原理を説明するために用いられる。
【００２６】
図１は、例示的な実施例に係る発射制御方法を示すフローチャートである。
【００２７】
図２は、例示的な実施例に係る別の発射制御方法を示すフローチャートである。
【００２８】
図３は、例示的な実施例に係るさらに別の発射制御方法を示すフローチャートである。
【００２９】
図４は、例示的な実施例に係るさらに別の発射制御方法を示すフローチャートである。
【００３０】
図５は、例示的な実施例に係るさらに別の発射制御方法を示すフローチャートである。
【００３１】
図６は、例示的な実施例に係る発射制御装置を示す模式図である。
【００３２】
図７Ａは、例示的な実施例に係る別の発射制御装置を示す模式図である。
【００３３】
図７Ｂ〜図７Ｅは、図７Ａに示すタイプ確定モジュールの４つの異なる実現方式を示す模式図である。
【００３４】
図８は、例示的な実施例に係る発射制御装置を示す模式図である。
【００３５】
図９は、例示的な実施例に係る放射端末の構成を示すブロック図である。
【発明を実施するための形態】
【００３６】
以下、例示的な実施例について詳細に説明し、それらの例は添付の図面に示されている。以下の説明が添付図面に関する場合、特別に説明しない限り、異なる図面における同じ数字が同一または相当の要素を表す。以下の例示的な実施例に記載される実施形態は、本発明と一致するすべての実施形態を代表するものではない。逆に、それらは、添付の特許請求の範囲に詳述したような本発明のいくつかの方面と一致する装置および方法の例だけである。
【００３７】
本明細書に記載の「放射端末」は、携帯電話、タブレットＰＣ、ルータ、電子書籍リーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップコンピュータやデスクトップコンピュータなどが含まれる。
【００３８】
図１は、例示的な実施例に係る発射制御方法を示すフローチャートである。図１に示すように、前記発射制御方法は端末に用いられ、次のステップを含む。
【００３９】
ステップＳ１０１において、現在のユーザのユーザタイプを取得する。
【００４０】
ユーザタイプは、普通人、高齢者、子供、および妊婦に分類されてもよく、高齢者、子供、および妊婦は、放射量の低減を必要とするユーザタイプである。また、ユーザタイプは、健康人、半健康人、および病人に分類されてもよく、半健康人および病人は、放射量の低減を必要とするユーザタイプである。
【００４１】
ユーザタイプは、ユーザの設定により取得されてもよい。または、ユーザタイプは、ユーザの生物学的パラメータに基づいて取得されてもよい。
【００４２】
ステップＳ１０２において、現在のユーザのユーザタイプが放射量の低減を必要とするユーザタイプである場合、デフォルトの発射パワーを低減するように放射端末を制御する。
【００４３】
デフォルトの発射ポリシーは、信号優先ポリシーである場合、デフォルトの発射パワーは、通常、放射が最大となる発射パワーである。
【００４４】
上記を纏めて言えば、本実施例に係る発射制御方法では、現在のユーザのユーザタイプを取得し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００４５】
図２は、例示的な実施例に係る別の発射制御方法を示すフローチャートである。図２に示すように、前記発射制御方法はウェアラブルデバイスに用いられ、次のステップを含む。
【００４６】
ステップＳ２０１において、現在のユーザの生物学的パラメータを収集する。
【００４７】
生物学的パラメータは、ユーザの心拍、脈拍、睡眠記録、気分記録、運動記録、体温とカロリー摂取量記録のうちの少なくとも１つを含む。
【００４８】
ステップＳ２０２において、収集された生物学的パラメータに基づいて、現在のユーザのユーザタイプを確定する。
【００４９】
ステップＳ２０３において、ユーザタイプに基づいて現在のユーザの放射端末へタイプ信号を送信し、放射端末はウェアラブルデバイスにより送信されたタイプ信号を受信し、タイプ信号に基づいて現在のユーザのユーザタイプを取得し、現在のユーザのユーザタイプが放射量の低減を必要とするユーザタイプである場合、デフォルトの発射パワーを低減する。
【００５０】
上記を纏めて言えば、本実施例に係る発射制御方法では、現在のユーザのユーザタイプを取得し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００５１】
放射端末がユーザタイプを取得する方式は、多くの種類がある。例えば、放射端末は、現在のユーザが音声形式、物理キーボード、仮想キーボード、タッチ信号、またはシェイクジェスチャーなどの入力方式により設定されたユーザタイプを取得する。また、例えば、放射端末が、ユーザによって日常に接触形態で使用される携帯電話やタブレットＰＣのような端末であれば、放射端末が現在のユーザの生物学的パラメータに基づいてユーザタイプを取得する。さらに、例えば、放射端末がユーザによって日常に非接触形態で使用される携帯電話やタブレットＰＣのような端末であれば、放射端末がウェアラブルデバイスにより現在のユーザの生物学的パラメータに基づいてユーザタイプを取得する。以下、それぞれ異なる実施例を用い、生物学的パラメータに基づいてユーザタイプを取得する２種類の場合について説明する。
【００５２】
図３は、例示的な実施例に係るさらに別の発射制御方法を示すフローチャートである。図３に示すように、当該発射制御方法は、放射端末に用いられ、且つ、放射端末により現在のユーザの生物学的パラメータに基づいてユーザタイプを取得する。当該方法は、次のステップを含む。
【００５３】
ステップＳ３０１において、現在のユーザの生物学的パラメータを収集する。
【００５４】
生物学的パラメータは、ユーザの心拍、脈拍、睡眠記録、気分記録、運動記録、体温とカロリー摂取量記録のうちの少なくとも１つを含む。
【００５５】
放射端末は、ユーザの入力によりユーザの気分記録およびカロリー摂取量記録を取得する。放射端末は、３軸加速度計によりユーザの睡眠記録、気分記録、および運動記録を監視・解析する。放射端末は、電極および心電原理によりユーザの心拍、および脈拍を取得する。放射端末は、体温センサによりユーザの体温を取得する。
【００５６】
ステップＳ３０２において、生物学的パラメータに基づいて現在のユーザのユーザタイプを確定する。
【００５７】
放射端末が現在のユーザの生物学的パラメータを取得した後、１つの生物学的パラメータの値、またはいくつかが組み合わせられた生物学的パラメータの値に基づいて、現在のユーザのユーザタイプを、予め設定された対応関係から検索することができる。当該予め設定される対応関係には、生物学的パラメータの異なる値と、異なるユーザタイプとの間の対応関係を含む。
【００５８】
即ち、現在のユーザの生物学的パラメータを収集した後、放射端末は、生物学的パラメータの値に基づいて、それとマッチングするユーザタイプを、予め設定された対応関係から検索することができる。
【００５９】
ステップＳ３０３において、現在のユーザのユーザタイプが放射量の低減を必要とするユーザタイプである場合、デフォルトの発射パワーを低減するように放射端末を制御する。
【００６０】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【００６１】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【００６２】
放射端末が待機状態となっている場合、放射値を最低とすることを条件として発射パワーを確定するように放射端末を制御する。例えば、携帯電話が待機状態となっている場合、放射値を最低とすることを条件として発射パワーを確定するように携帯電話を制御する。
【００６３】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【００６４】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００６５】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【００６６】
また、放射端末が待機状態となる場合、放射値を最低とすることを条件として発射パワーを確定することにより、放射端末の待機状態での放射を最小に保持する。
【００６７】
また、通信状態が音声通信である場合、音声通信に対して信号強度の最適化以外の何らかの最適化を行うことにより、基本的な通信品質をより良く確保することができる。
【００６８】
図４は、例示的な実施例に係るさらに別の発射制御方法を示すフローチャートである。図４に示すように、当該発射制御方法は、放射端末、およびウェアラブルデバイスに用いられ、且つ、ウェアラブルデバイスにより生物学的パラメータを収集し、放射端末により現在のユーザの生物学的パラメータに基づいてユーザタイプを確定する。当該方法は、次のステップを含む。
【００６９】
ステップＳ４０１において、ウェアラブルデバイスにより現在のユーザの生物学的パラメータを収集する。
【００７０】
生物学的パラメータは、ユーザの心拍、脈拍、睡眠記録、気分記録、運動記録、体温とカロリー摂取量記録のうちの少なくとも１つを含む。
【００７１】
ウェアラブルデバイスは、スマートブレスレット、またはスマートウォッチなどであってもよい。ウェアラブルデバイスは、ユーザの入力によりユーザの気分記録、およびカロリー摂取量記録を取得する。ウェアラブルデバイスは、３軸加速度計によりユーザの睡眠記録、気分記録、および運動記録を監視・解析する。ウェアラブルデバイスは、電極および心電原理によりユーザの心拍、および脈拍を取得する。ウェアラブルデバイスは、体温センサによりユーザの体温を取得する。
【００７２】
ステップＳ４０２において、ウェアラブルデバイスは、現在のユーザの放射端末へ生物学的パラメータを送信する。
【００７３】
同じユーザのウェアラブルデバイス、および放射端末は、通常、有線ネットワーク、または無線ネットワークを介して接続され、例えば、ユーザＡのスマートブレスレットやスマートフォンは、ブルートゥース技術、またはＷＩＦＩネットワークを介して無線で接続される。
【００７４】
ウェアラブルデバイスは、現在のユーザの生物学的パラメータを収集した後、現在のユーザの放射端末へ生物学的パラメータを送信する。
【００７５】
これに対応して、端末装置は、ウェアラブルデバイスにより送信された生物学的パラメータを受信する。
【００７６】
ステップＳ４０３において、放射端末が生物学的パラメータに基づいて現在のユーザのユーザタイプを確定する。
【００７７】
放射端末が現在のユーザの生物学的パラメータを受信した後、１つの生物学的パラメータの値、またはいくつかが組み合わせられた生物学的パラメータの値に基づいて、現在のユーザのユーザタイプを、予め設定される対応関係中から検索することができる。当該予め設定される対応関係には、生物学的パラメータの異なる値と、異なるユーザタイプとの間の対応関係を含む。
【００７８】
即ち、現在のユーザの生物学的パラメータを受信した後、放射端末は、生物学的パラメータの値に基づいて、それとマッチングするユーザタイプを、予め設定される対応関係中から検索することができる。
【００７９】
ステップＳ４０４において、現在のユーザのユーザタイプが放射量の低減を必要とするユーザタイプである場合、デフォルトの発射パワーを低減するように放射端末を制御する。
【００８０】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【００８１】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【００８２】
放射端末が待機状態となっている場合、放射値を最低とすることを条件として発射パワーを確定するように放射端末を制御する。例えば、携帯電話が待機状態となっている場合、放射値を最低とすることを条件として発射パワーを確定するように携帯電話を制御する。
【００８３】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【００８４】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【００８５】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【００８６】
また、放射端末が待機状態となる場合、放射値を最低とすることを条件として発射パワーを確定することにより、放射端末の待機状態での放射を最小に保持する。
【００８７】
また、通信状態が音声通信である場合、音声通信に対して信号強度の最適化以外の何らかの最適化を行うことにより、基本的な通信品質をより良く確保することができるようになる。
【００８８】
また、ウェアラブルデバイスによりユーザの生物学的パラメータを収集することにより、ウェアラブルデバイスの固有の特性を利用し、放射端末に必要なハードウェア条件および計算量を減少し、放射端末のリソースを節約し、放射端末のバッテリ持続時間を増加させる。
【００８９】
図５は、例示的な実施例に係るさらに別の発射制御方法を示すフローチャートである。図５に示すように、当該発射制御方法は、放射端末、およびウェアラブルデバイスに用いられ、ウェアラブルデバイスにより生物学的パラメータを収集し、且つ、現在のユーザの生物学的パラメータに基づいてユーザタイプを確定する。当該方法は、次のステップを含む。
【００９０】
ステップＳ５０１において、ウェアラブルデバイスは、現在のユーザの生物学的パラメータを収集する。
【００９１】
生物学的パラメータは、ユーザの心拍、脈拍、睡眠記録、気分記録、運動記録、体温とカロリー摂取量記録のうちの少なくとも１つを含む。
【００９２】
ウェアラブルデバイスは、スマートブレスレット、またはスマートウォッチなどであってもよい。ウェアラブルデバイスは、ユーザの入力によりユーザの気分記録、およびカロリー摂取量記録を取得する。ウェアラブルデバイスは、３軸加速度計によりユーザの睡眠記録、気分記録、および運動記録を監視・解析する。ウェアラブルデバイスは、電極および心電原理によりユーザの心拍、および脈拍を取得する。ウェアラブルデバイスは、体温センサによりユーザの体温を取得する。
【００９３】
ステップＳ５０２において、ウェアラブルデバイスは、生物学的パラメータに基づいて現在のユーザのユーザタイプを確定する。
【００９４】
ウェアラブルデバイスが現在のユーザの生物学的パラメータを収集した後、１つの生物学的パラメータの値、またはいくつかが組み合わせられた生物学的パラメータの値に基づいて、現在のユーザのユーザタイプを、予め設定される対応関係中から検索することができる。当該予め設定される対応関係には、生物学的パラメータの異なる値と、異なるユーザタイプとの間の対応関係を含む。
【００９５】
即ち、現在のユーザの生物学的パラメータを収集した後、ウェアラブルデバイスは、生物学的パラメータの値に基づいて、それとマッチングするユーザタイプを、予め設定される対応関係中から検索することができる。
【００９６】
ステップＳ５０３において、ウェアラブルデバイスは、ユーザタイプに基づいて現在のユーザの放射端末へタイプ信号を送信する。
【００９７】
各ユーザタイプは、それぞれ、１種のタイプ信号に対応することができる。ウェアラブルデバイスは、ユーザタイプに基づいて現在のユーザのタイプ信号を生成する。同じユーザのウェアラブルデバイス、および放射端末は、通常、有線ネットワーク、または無線ネットワークを介して接続される。このために、ウェアラブルデバイスは、構築された接続方式を介してタイプ信号を現在のユーザに送信することができる。
【００９８】
これに対応して、端末装置は、ウェアラブルデバイスにより送信されたタイプ信号を受信する。
【００９９】
なお、ウェアラブルデバイスは、現在のユーザのユーザタイプが放射量の低減を必要とするユーザタイプである場合にのみ、タイプ信号を放射端末へ送信してもよいが、本実施例は、これに限定されるものではない、ということは、説明すべきである。
【０１００】
ステップＳ５０４において、放射端末がタイプ信号に基づいて現在のユーザのユーザタイプを取得する。
【０１０１】
各ユーザタイプがそれぞれ１種のタイプ信号に対応することができるため、放射端末がタイプ信号に基づいて現在のユーザのユーザタイプを取得することができる。
【０１０２】
ステップＳ５０５において、現在のユーザのユーザタイプが放射量の低減を必要とするユーザタイプである場合、放射端末がデフォルトの発射パワーを低減する。
【０１０３】
放射量の低減を必要とするユーザタイプは、高齢者、子供、および妊婦であってもよい。現在のユーザのユーザタイプが放射量の低減を必要とするユーザタイプである場合、デフォルトの発射パワーを低減するように放射端末を制御する。
【０１０４】
放射端末が通信状態となっている場合、基本的な通信品質を満たすことを条件として発射パワーを確定するように放射端末を制御する。基本的な通信品質を満たすことは、信号強度が最適な通信品質ではなく、基本的な通信品質だけを維持することができることを指す。基本的な通信品質を維持することを前提として、発射パワーをできるだけ減少する。この過程は、１つの経験的な閾値によって達成することができる。信号強度が当該経験的な閾値より低い場合、発射パワーを向上させ、信号強度が当該経験的な閾値より高い場合、発射パワーを低減する。
【０１０５】
放射端末が待機状態となっている場合、放射値を最低とする条件として発射パワーを確定するように放射端末を制御する。例えば、携帯電話が待機状態となっている場合、放射値を最低とすることを条件として発射パワーを確定するように携帯電話を制御する。
【０１０６】
説明を追加すべきであることは、放射端末が通信状態となっており、且つ当該通信状態が音声通信である場合、オーディオ信号利得の増大、音量の増大、およびノイズの除去のうちの少なくとも１つを含む所定方式により、音声通信を最適化するということである。
【０１０７】
上記を纏めて言えば、本実施例に係る発射制御方法では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減する放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１０８】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【０１０９】
また、放射端末が待機状態となっている場合、放射値を最低とすることを条件として発射パワーを確定することにより、放射端末の待機状態での放射を最小に保持する。
【０１１０】
また、通信状態が音声通信である場合、音声通信に対して信号強度の最適化以外の何らかの最適化を行うことにより、基本的な通信品質をより良く確保することができる。
【０１１１】
また、ウェアラブルデバイスによりユーザの生物学的パラメータを収集すると共にユーザタイプを確定することにより、ウェアラブルデバイスの固有の特性を利用し、放射端末に必要なハードウェア条件および計算量を減少し、放射端末のリソースを節約し、放射端末のバッテリ持続時間を増加させる。
【０１１２】
図６は、例示的な実施例に係る発射制御装置を示す模式図である。図６に示すように、当該装置は、タイプ確定モジュール６２０、および放射低減モジュール６４０を備える。
【０１１３】
タイプ確定モジュール６２０は、現在のユーザのユーザタイプを取得するためのものである。
【０１１４】
放射低減モジュール６４０は、現在のユーザのユーザタイプが放射量の低減を必要とするユーザタイプである場合、デフォルトの発射パワーを低減するように放射端末を制御するためのものである。
【０１１５】
上記を纏めて言えば、本実施例に係る発射制御装置では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１１６】
図７Ａは、例示的な実施例に係る別の発射制御装置を示す模式図である。図７Ａに示すように、当該装置は、ソフトウェア、ハードウェア、または両者の組み合わせにより実現され、放射端末の全部または一部となる。当該装置は、タイプ確定モジュール６２０、および放射低減モジュール６４０を備える。
【０１１７】
タイプ確定モジュール６２０は、現在のユーザのユーザタイプを取得するためのものである。
【０１１８】
放射低減モジュール６４０は、現在のユーザのユーザタイプが放射量の低減を必要とするユーザタイプである場合、デフォルトの発射パワーを低減するように放射端末を制御するためのものである。
【０１１９】
タイプ確定モジュール６２０は、
図７Ｂに示すように、前記現在のユーザにより設定されたユーザタイプを受信するためのタイプ設定ユニット６２１を備えるか、
または、
図７Ｃに示すように、前記現在のユーザの生物学的パラメータを収集するためのパラメータ収集ユニット６２２と、前記生物学的パラメータに基づいて前記現在のユーザのユーザタイプを確定するためのタイプ確定ユニット６２３と、を備えるか
または、
図７Ｄに示すように、ウェアラブルデバイスが前記現在のユーザの生物学的パラメータを収集した後に送信する生物学的パラメータを受信するためのパラメータ受信ユニット６２４と、前記生物学的パラメータに基づいて前記現在のユーザのユーザタイプを確定するためのタイプ確定ユニット６２３と、を備えるか、
または、
図７Ｅに示すように、前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニット６２５と、前記タイプ信号に基づいて前記現在のユーザのユーザタイプを取得するためのタイプ取得ユニット６２６と、を備える。
【０１２０】
放射低減モジュール６４０は、通信低減ユニット６４２、および／または、待機低減ユニット６４４を備える。
【０１２１】
前記通信低減ユニット６４２は、前記放射端末が通信状態となっている場合、基本的な通信品質を満たすことを条件として前記発射パワーを確定するように前記放射端末を制御するためのものである。
【０１２２】
前記待機低減ユニット６４４は、前記放射端末が待機状態となっている場合、放射値を最低とすることを条件として前記発射パワーを確定するように前記放射端末を制御するためのものである。
【０１２３】
選択的に、前記装置は、さらに、
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュール６６０を備える。
【０１２４】
上記を纏めて言えば、本実施例に係る発射制御装置では、現在のユーザの生物学的パラメータに基づいて、現在のユーザのユーザタイプを確定し、現在のユーザのユーザタイプが放射量の低減を必要とするユーザタイプである場合、デフォルトの発射パワーを低減するように放射端末を制御することにより、関連技術における端末がデフォルトの、信号最適化発射機制を採用することによる放射の比較的大きい問題を解決し、放射量の低減を必要とするユーザタイプに対して、デフォルトの、信号最適化発射機制を採用せずに、放射量を低減するという効果に達した。
【０１２５】
また、放射端末が通信状態となっている場合、基本的な通信品質を満たすことを条件として発射パワーを確定することにより、放射端末の正常使用を確保することができるのみならず、放射量をできるだけ低減する効果を達成することができる。
【０１２６】
また、放射端末が待機状態となる場合、放射値を最低とすることを条件として発射パワーを確定することにより、放射端末の待機状態での放射を最小に保持する。
【０１２７】
また、通信状態が音声通信である場合、音声通信に対して信号強度の最適化以外の何らかの最適化を行うことにより、基本的な通信品質をより良く確保することができる。
【０１２８】
また、ウェアラブルデバイスによりユーザの生物学的パラメータを収集すると共にユーザタイプを確定することにより、ウェアラブルデバイスの固有の特性を利用し、放射端末に必要なハードウェア条件および計算量を減少し、放射端末のリソースを節約し、放射端末のバッテリ持続時間を増加させる。
【０１２９】
図８は、例示的な実施例に係る別の発射制御装置を示す模式図である。図８に示すように、当該装置は、ソフトウェア、ハードウェア、または両者の組み合わせにより実現され、ウェアラブルデバイスの全部または一部になる。当該装置は、パラメータ収集モジュール８２０、タイプ確定モジュール８４０、およびタイプ送信モジュール８６０を備える。
【０１３０】
パラメータ収集モジュール８２０は、現在のユーザの生物学的パラメータを収集するためのものである。
【０１３１】
タイプ確定モジュール８４０は、収集された前記生物学的パラメータに基づいて、前記現在のユーザのユーザタイプを確定するためのものである。
【０１３２】
タイプ送信モジュール８６０は、前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである。
【０１３３】
上記の実施例に係る装置において、各モジュールが操作を実行する具体的な形態は、すでに当該方法に関する実施例において詳細に記載されているので、ここでは詳細に説明しない。
【０１３４】
図９は、例示的な実施例に係る放射端末９００を示すブロック図である。例えば、端末９００は、携帯電話、コンピュータ、デジタル放送端末、メッセージ送受信機器、ゲームコンソール、タブレットデバイス、医療機器、フィットネス機器、パーソナルデジタルアシスタント、およびルータなどであってもよい。
【０１３５】
図９に示すように、放射端末９００は、プロセスアセンブリ９０２、メモリ９０４、電源アセンブリ９０６、マルチメディアアセンブリ９０８、オーディオアセンブリ９１０、入力／出力（Ｉ／Ｏ）インターフェース９１２、センサアセンブリ９１４、および通信アセンブリ９１６のような１つ以上のアセンブリを含んでよい。
【０１３６】
プロセスアセンブリ９０２は、一般的には放射端末９００全体の操作を制御するものであり、例えば、表示、電話呼び出し、データ通信、カメラ操作、及び記録操作と関連する操作を制御する。プロセスアセンブリ９０２は、１つ以上のプロセッサ９２０を含み、これらによって指令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１３７】
メモリ９０４は、各種類のデータを記憶することにより放射端末９００の操作を支援するように構成される。これらのデータの例は、放射端末９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１３８】
電源アセンブリ９０６は、放射端末９００の多様なアセンブリに電力を供給する。電源アセンブリ９０６は、電源管理システム、一つ以上の電源、及び放射端末９００のための電力の生成、管理及び割り当てに関連する他のアセンブリを含んでもよい。
【０１３９】
マルチメディアアセンブリ９０８は、前記放射端末９００とユーザの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。放射端末９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１４０】
オーディオアセンブリ９１０は、オーディオ信号を入出力するように構成されてもよい。例えば、オーディオアセンブリ９１０は、一つのマイク（ＭＩＣ）を含み、放射端末９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１４１】
Ｉ／Ｏインターフェース９１２は、プロセスアセンブリ９０２と周辺インターフェースモジュールの間にインターフェースを提供するものであり、上記周辺インターフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４２】
センサアセンブリ９１４は、放射端末９００に各方面の状態に対する評価を提供するための一つ以上のセンサを含む。例えば、センサアセンブリ９１４は、放射端末９００のＯＮ／ＯＦＦ状態、放射端末９００のディスプレイとキーパッドのようなアセンブリの相対的な位置決めを検出できる。また、例えば、センサアセンブリ９１４は、放射端末９００、或は放射端末９００の一つのアセンブリの位置変更、ユーザと放射端末９００とが接触しているか否か、放射端末９００の方位、又は加速／減速、放射端末９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１４３】
通信アセンブリ９１６は、放射端末９００と他の機器の間に有線、又は無線形態の通信を提供する。放射端末９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１４４】
例示的な実施例において、放射端末９００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１４５】
例示的な実施例では、さらに、指令を含むコンピュータ読み取り可能な非一時的な記憶媒体、例えば、指令を含むメモリ９０４を提供しており、放射端末９００のプロセッサ９２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１４６】
コンピュータ読み取り可能な非一時的な記憶媒体は、放射端末のプロセッサにより前記記憶媒体中の指令が実行される場合、放射端末に次の発射制御方法を実行させることができる。当該方法は、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと、を含む。
【０１４７】
選択的に、前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する。
【０１４８】
選択的に、自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する。
【０１４９】
選択的に、前記方法は、さらに、
前記放射端末が通信状態となっており、且つ音声通信である場合、オーディオ信号利得の増大、音量の増大、およびノイズの除去のうちの少なくとも１つを含む所定方式により、前記音声通信を最適化するステップと、を含む。
【０１５０】
また、図９における各アセンブリに対して新たな組み合わせまたは削除を行い、ウェアラブルデバイスを実現することができ、ウェアラブルデバイスは、スマートフォン、スマートウォッチ、スマートメガネなどであってもよい。
【０１５１】
コンピュータ読み取り可能な非一時的な記憶媒体は、ウェアラブルデバイスのプロセッサにより前記記憶媒体中の指令が実行される場合、ウェアラブルデバイスに発射の制御方法を実行させることができる。当該方法は、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと、を含む。
【０１５２】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１５３】
本発明は、上記の記述、及び図示された具体的な構成に限定されず、その範囲を逸脱しない状況で、いろんな修正と変更が可能である、ことを理解すべきである。本発明の範囲は、ただ添付の特許請求の範囲により限定される。
【手続補正２】
【補正対象書類名】特許請求の範囲
【補正対象項目名】全文
【補正方法】変更
【補正の内容】
【特許請求の範囲】
【請求項１】
放射端末に用いられる発射制御方法であって、
現在のユーザのユーザタイプを取得するステップと、
前記現在のユーザのユーザタイプが放射量の低減を必要とするユーザタイプである場合、デフォルトの発射パワーを低減するように前記放射端末を制御するステップと
を含むことを特徴とする発射制御方法。
【請求項２】
前記現在のユーザのユーザタイプを取得するステップにおいて、
前記現在のユーザにより設定されたユーザタイプを受信するか、
または、
前記現在のユーザの生物学的パラメータを収集し、前記生物学的パラメータに基づいて前記現在のユーザのユーザタイプを確定するか、
または、
ウェアラブルデバイスが前記現在のユーザの生物学的パラメータを収集した後に送信する生物学的パラメータを受信し、前記生物学的パラメータに基づいて前記現在のユーザのユーザタイプを確定するか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信し、前記タイプ信号に基づいて前記現在のユーザのユーザタイプを取得する
ことを特徴とする請求項１に記載の方法。
【請求項３】
自身の発射パワーを低減するように前記放射端末を制御するステップにおいて、
前記放射端末が通信状態となっている場合、基本的な通信品質を満たすことを条件として前記発射パワーを確定するように前記放射端末を制御し、
前記放射端末が待機状態となっている場合、放射値を最低とすることを条件として前記発射パワーを確定するように前記放射端末を制御する
ことを特徴とする請求項１または２に記載の方法。
【請求項４】
前記放射端末が通信状態となっており、且つ音声通信である場合、オーディオ信号利得の増大、音量の増大、およびノイズの除去のうちの少なくとも１つを含む所定方式により、前記音声通信を最適化するステップをさらに含むことを特徴とする請求項３に記載の方法。
【請求項５】
ウェアラブルデバイスに用いられる発射制御方法であって、
現在のユーザの生物学的パラメータを収集するステップと、
収集された前記生物学的パラメータに基づいて、前記現在のユーザのユーザタイプを確定するステップと、
前記ユーザタイプに基づいて前記現在のユーザの放射端末へタイプ信号を送信し、前記放射端末は、前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するステップと
を含むことを特徴とする発射制御方法。
【請求項６】
放射端末に用いられる発射制御装置であって、
現在のユーザのユーザタイプを取得するためのタイプ確定モジュールと、
前記現在のユーザのユーザタイプが放射量の低減を必要とするユーザタイプである場合、デフォルトの発射パワーを低減するように前記放射端末を制御するための放射低減モジュールと
を備えることを特徴とする発射制御装置。
【請求項７】
前記タイプ確定モジュールは、
前記現在のユーザにより設定されたユーザタイプを受信するためのタイプ設定ユニットを備えるか、
または、
前記現在のユーザの生物学的パラメータを収集するためのパラメータ収集ユニットと、前記生物学的パラメータに基づいて前記現在のユーザのユーザタイプを確定するためのタイプ確定ユニットとを備えるか、
または、
ウェアラブルデバイスが前記現在のユーザの生物学的パラメータを収集した後に送信する生物学的パラメータを受信するためのパラメータ受信ユニットと、前記生物学的パラメータに基づいて前記現在のユーザのユーザタイプを確定するためのタイプ確定ユニットとを備えるか、
または、
前記ウェアラブルデバイスが前記現在のユーザの生物学的パラメータを収集した後、前記生物学的パラメータに基づいて前記現在のユーザのユーザタイプを確定してから送信するタイプ信号を受信するためのタイプ受信ユニットと、前記タイプ信号に基づいて前記現在のユーザのユーザタイプを取得するためのタイプ取得ユニットとを備える
ことを特徴とする請求項６に記載の装置。
【請求項８】
前記放射低減モジュールは、
前記放射端末が通信状態となっている場合、基本的な通信品質を満たすことを条件として前記発射パワーを確定するように前記放射端末を制御するための通信低減ユニット、
および／または、
前記放射端末が待機状態となっている場合、放射値を最低とすることを条件として前記発射パワーを確定するように前記放射端末を制御するための待機低減ユニット
を備えることを特徴とする請求項６または７に記載の装置。
【請求項９】
前記放射端末が通信状態となっており、且つ音声通信である場合、オーディオ信号利得の増大、音量の増大、およびノイズの除去のうちの少なくとも１つを含む所定方式により、前記音声通信を最適化するための音声最適化モジュールをさらに備えることを特徴とする請求項８に記載の装置。
【請求項１０】
ウェアラブルデバイスに用いられる発射制御装置であって、
現在のユーザの生物学的パラメータを収集するためのパラメータ収集モジュールと、
収集された前記生物学的パラメータに基づいて、前記現在のユーザのユーザタイプを確定するためのタイプ確定モジュールと、
前記ユーザタイプに基づいて前記現在のユーザの放射端末へタイプ信号を送信し、前記放射端末は、前記ウェアラブルデバイスにより送信されたタイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのタイプ送信モジュールと
を備えることを特徴とする発射制御装置。
【請求項１１】
ウェアラブルデバイスおよび放射端末を備え、前記ウェアラブルデバイスと前記放射端末とは有線ネットワークまたは無線ネットワークを介して接続され、
前記ウェアラブルデバイスは、現在のユーザの生物学的パラメータを収集し、前記現在のユーザの前記放射端末へ前記生物学的パラメータを送信するためのものであり、
前記放射端末は、前記ウェアラブルデバイスにより送信された前記生物学的パラメータを受信し、前記生物学的パラメータに基づいて前記現在のユーザのユーザタイプを確定し、前記現在のユーザのユーザタイプが放射量の低減を必要とするユーザタイプである場合、デフォルトの発射パワーを低減するためのものである
ことを特徴とする発射制御システム。
【請求項１２】
ウェアラブルデバイスおよび放射端末を備え、前記ウェアラブルデバイスと前記放射端末とが有線ネットワークまたは無線ネットワークを介して接続され、
前記ウェアラブルデバイスは、現在のユーザの生物学的パラメータを収集し、前記生物学的パラメータに基づいて前記現在のユーザのユーザタイプを確定し、前記ユーザタイプに基づいて前記現在のユーザの放射端末へタイプ信号を送信するためのものであり、
前記放射端末は、前記ウェアラブルデバイスにより送信された前記タイプ信号を受信し、前記タイプ信号に基づいて前記現在のユーザのユーザタイプを取得し、前記現在のユーザのユーザタイプが放射量の低減を必要とするユーザタイプである場合、デフォルトの発射パワーを低減するためのものである
ことを特徴とする発射制御システム。
【請求項１３】
プロセッサに実行されることにより、請求項１から請求項５のいずれかに記載の発射制御方法を実現することを特徴とするプログラム。
【請求項１４】
請求項１３に記載のプログラムが記録された記録媒体。
【国際調査報告】
2016521496.tif 000016
2016521496.tif 000017
2016521496.tif 000018
2016521496.tif 000019
2016521496.tif 000020